(57)【要約】【課題】  煙生成剤の主剤として赤リンを用いた赤外線遮蔽発煙組成物において、赤外線の吸収効率を改善（煙濃度を向上）し、可視光線波長域はもとより赤外線波長域で遮蔽効果が著しく高く、特に８〜１２μｍの遠赤外線波長域で赤外線の透過性が著しく低下する。【解決手段】  赤リンと、硝酸塩、硫酸塩、過硫酸塩または酸化物から選ばれる酸化剤と、金属粉と、エネルギーバインダとを有し、例えば、赤リン５５〜７５重量％と、酸化剤５〜３０重量％と、金属粉５〜１０重量％と、エネルギーバインダ５〜２０重量％とから成る。ここで、エネルギーバインダは、ＧＡＰ（Glycidyl azide polymer）、ＢＡＭＭＯ（3,3-bis(azido methyl)methyloxetane）またはＡＭＭＯ（3-azido metyl-3-methyloxetane）から選ばれ、酸化剤は、明礬である。【特許請求の範囲】
【請求項１】
赤リンと、硝酸塩、硫酸塩、過硫酸塩または酸化物から選ばれる酸化剤と、金属粉と、エネルギ−バインダとを有することを特徴とする赤外線遮蔽発煙組成物。
【請求項２】
前記エネルギーバインダは、ＧＡＰ（Glycidyl azide polymer）、ＢＡＭＭＯ（3,3-bis(azido methyl)methyloxetane）またはＡＭＭＯ（3-azido metyl-3-methyloxetane）から選ばれることを特徴とする請求項１記載の赤外線遮蔽発煙組成物。
【請求項３】
赤リン５５〜７５重量％と、酸化剤５〜３０重量％と、金属粉５〜１０重量％と、エネルギーバインダ５〜２０重量％とを有することを特徴とする請求項１または請求項２記載の赤外線遮蔽発煙組成物。
【請求項４】
酸化剤は、明礬であることを特徴とする請求項１ないし請求項３のいずれか１項記載の赤外線遮蔽発煙組成物。
【発明の詳細な説明】
【技術分野】
【０００１】
本発明は、赤外線域で不透過な煙を発生し、赤外線域の遮蔽を可能とする赤外線遮蔽発煙組成物に関する。
具体的には、対象物の発する赤外線に対する探知から所定時間の間免れるカムフラージュに利用したり、また、金融施設や対象物などのエリアにおける保護物件を煙により保護する際、侵入者による赤外線透視を防止するために利用する。
【背景技術】
【０００２】
従来、カムフラージュなどに用いる発煙組成物は、例えば六塩化エタン（以下、ＨＣと称する）系発煙組成物（ＨＣ、酸化亜鉛、アルミニウム粉）、四塩化チタン、赤リン系、黄リン系などの発煙組成物がある（例えば、非特許文献１参照）。
これら発煙組成物は、可視光遮蔽性が優れており、発煙飛しょう体、または信号用煙薬として広く用いられている。
【０００３】
しかしながら、近年、技術革新に伴い、監視手段においては、付加的に赤外線探知装置および赤外線映像装置を活用することが一般化しているため、従来の可視光線を遮蔽するだけの発煙組成物では、赤外線探知装置などに対して有効ではない。
これらの問題を解決するために、従来、赤外線遮蔽に有効な発煙組成物として、赤リン、金属粉およびセシウム化合物などの組成が開示されている（例えば、特許文献１参照）。
【０００４】
この発煙組成物では、発生する煙を対象物の周りに展開させると、対象物から放射される熱線を散乱したり、吸収することにより赤外線を放射する対象物を遮蔽し、探知装置に対して誤認させることができるとされている。
また、ここでは、対象物から発生した赤外線は、ＣＯ2および水蒸気のような大気成分により一定の波長の赤外線は選択的に吸収されるので、赤外線の探知装置は、０．７〜１．５μｍ、２〜２．５μｍ、３〜５μｍおよび８〜１２μｍにあるいわゆる大気の「窓」で有利に作動する。８〜１２μｍの範囲において、煙、もやおよび通常の煙による妨害が最小となるので、特に８〜１２μｍの範囲で赤外線放射の高い吸収または反射に有効な発煙組成物が要望されている。
【０００５】
このため、特許文献１では、赤外線波長域での放射を吸収するためにセシウム化合物が有効であり、赤リンのような煙生成剤、並びに金属粉末に赤外線波長域で放射を吸収するセシウム化合物を付加的に混入した発煙組成物が、特に３〜５μｍ、８〜１２μｍの範囲で赤外線放射の高い吸収または反射するのに有効であるとしている。
しかしながら、セシウム化合物を添加すると、一定の波長の赤外線、特に３〜５μｍもしくは８〜１２μｍの波長を有する赤外線の透過性が著しく低下することが何に起因するのか従来確認されておらず、原因を解明すべくセシウム塩の近赤外線範囲の振動、吸収現象などの検討が為されたようであるが、十分な理論を見い出すことはこの先の実験にゆだねるとされている。
【０００６】
また、特許文献１では、セシウム化合物を混入しない赤リン（０．６５Ｋｇ）から成る煙生成剤と、酸化鉄（０．１５Ｋｇ）、アルミニウム粉末（０．１５Ｋｇ）およびマグネシウム粉末（０．１５Ｋｇ）から成る発熱剤と、エラストマーまたはバインダとから成る発煙組成物は、３．５μｍおよび１０μｍでは５０％より低い遮蔽であったことが開示されている。
【特許文献１】特公昭６０−４２１９４号（第２頁、第３頁、第４頁例２）
【非特許文献１】「AMCP706-185 Engineering Design Handbook Military Pyrotechnic Series」（米国），HEADQUARTERS,U.S.ARMY MATERIEL COMAND社，1967年４月18日発行，7-11
【発明の開示】
【発明が解決しようとする課題】
【０００７】
しかしながら、セシウム化合物を混入しない赤リンから成る煙生成剤と、発熱剤と、バインダとから成る発煙組成物は、可視光線波長域で白煙を生成する発煙組成物として公知であり、付加的に赤外線遮蔽効果が認められている。
この赤リンは、入手も容易であり、かつ経済的にも安価なので、赤外線波長域で遮蔽効率を高くすることができれば、赤外線遮蔽発煙組成物としては優れたものになると考えられ、遮蔽効率を改善することが課題であった。
【０００８】
また、特許文献１で示されているように、例えば、煙生成剤として赤リン、酸化鉄、アルミニウム粉末およびマグネシウム粉末とから成る発煙成分と、これに加えて、圧縮成型体にするためにバインダが使用されているが、このバインダにはブタジエンゴムなどが使用されている。
このような従来のバインダは、圧縮成型体の形状を維持するための役目を持つもので、赤リンと発熱剤の反応により煙を効率よく生成するためには本来不要のものであり、これを添加させることにより、赤リンと発熱剤の反応温度を低下させ、逆に、リン酸の生成を阻害するという問題があった。
【０００９】
また、赤外線遮蔽発煙組成物を燃焼させることによって得られる赤外線遮蔽効果の原理としては、赤外線の散乱、吸収、放射の３つの要因がある。赤外線の散乱は、可視光では有効であるが、赤外線の散乱効果は小さく（Ｍｉｅ理論より）、赤外線の放射は、赤外線遮蔽発煙組成物の燃焼により生じた反応熱および水和熱が反応後次第に低下していくので、遮蔽の持続性がなくなるという問題があった。
【００１０】
これに対し、赤外線の吸収は、発煙組成物が燃焼した際に赤外線吸収率の大きい物質を多量に発生させることにより、対象物から発生される赤外線を吸収し、赤外線域の遮蔽を有効にするという利点があった。
そこで、本発明の目的は、この中で一番大きい有効な要因が赤外線の吸収であることに着目し、煙生成剤の主剤として赤リンを用いた赤外線遮蔽発煙組成物において、赤外線の吸収効率を改善し、可視光線波長域はもとより赤外線波長域で遮蔽効果が著しく高く、特に８〜１２μｍの遠赤外線波長域で赤外線の透過性が著しく低下する赤外線遮蔽発煙組成物を提供することにある。
【課題を解決するための手段】
【００１１】
請求項１に係る赤外線遮蔽発煙組成物は、赤リンと、硝酸塩、硫酸塩、過硫酸塩または酸化物から選ばれる酸化剤と、金属粉と、エネルギーバインダとを有する。
ここで、硝酸塩としては、硝酸カリウム、硝酸バリウム、硝酸ナトリウムなどがあり、硫酸塩としては、硫酸カリウム、硫酸バリウム、硫酸ナトリウム、カリウム明礬、アンモニウム明礬などがあり、過硫酸塩としては、ペルオキソ二硫酸カリウム、ペルオキソ二硫酸バリウム、ペルオキソ二硫酸ナトリウムなどがあり、酸化物としては、二酸化マンガン、酸化第二鉄、二酸化珪素などがある。また、金属粉としては、マグネシウム、アルミニウム、珪素などがある。
【００１２】
請求項２に係る赤外線遮蔽発煙組成物は、請求項１記載の赤外線遮蔽発煙組成物において、エネルギーバインダが、ＧＡＰ（グリシジルアジドポリマー：Glycidyl azide polymer）、ＢＡＭＭＯ（3,3-ビス（アジドメチル）メチルオキセタン：3,3-bis(azido methyl)methyloxetane）またはＡＭＭＯ（3-アジドメチル-3-メチルオキセタン：3-azido metyl-3-methyloxetane）から選ばれる。
【００１３】
請求項３に係る赤外線遮蔽発煙組成物は、請求項１または請求項２記載の赤外線遮蔽発煙組成物において、赤リン５５〜７５重量％と、酸化剤５〜３０重量％と、金属粉５〜１０重量％と、エネルギーバインダ５〜２０重量％とを有する。
赤外線遮蔽は、煙濃度に大きく影響され、煙濃度が高い程、遮蔽性能が向上することが明らかである。そこで、煙濃度を高めるためには、次の１）〜３）が考えられる。
【００１４】
１）発煙剤自身の発煙率の向上、すなわち、限られた薬量で、発煙量を向上させる。
２）単位時間あたりの発煙量の増加、すなわち、煙は、一定の空間に蓄積される訳でなく流動的であり、一定の空間の煙濃度を高めるためには、単位時間あたりの発煙量(燃焼時間)を向上させる必要がある。
３）発煙剤全体の質量の増加、すなわち、組成に拘わらず、薬量を増加すれば発煙量が増加することは明らかである。しかし、製品を考える場合、薬量が少なく費用対効果の高いものが必要である。
【００１５】
このうち、発煙剤の組成によるのは、１），２）となる。以上を考慮して請求項３の数値限定を行った。
先ず、赤リン５５〜７５重量％について説明する。１）の理由から、赤リン含有量が多い方が好ましいが、その分、赤リンの反応に必要な熱量を供給する酸化剤、金属、エネルギーバインダの量が減少してしまうため、燃焼中断や極端に燃焼時間が長くなり、２）の理由のように単位時間当たりの発煙量(煙濃度)が減少して、その結果、遮蔽性能が落ちてしまう。その上限を、実験の結果から７５％とし、下限５５％については、特許文献１に開示されており比較例とした比較例Ｂ（赤リン６０％）に対して、エネルギーバインダを用いることにより、赤リン５５重量％で同等の発煙量を有し、燃焼時間も短くなることから、範囲を決定した。
【００１６】
次に、エネルギーバインダ５〜２０重量％について説明する。エネルギーバインダは、赤リンの反応に必要な熱量を供給する役割があるため、量が多い方が好ましいと考えられるが、バインダとしての役割も有するため、量が多すぎると燃焼残渣が外界からの酸素の供給を遮断してしまう。また、その分、本来、熱量供給剤としての性能を持つ、酸化剤、金属の量が減少するため、結果として、燃焼中断や燃焼時間が極端に長くなることから、その限界点を２０重量％とし、下限５重量％については、結合剤としての役割を果たすための限界量から決定した。
【００１７】
次に、酸化剤５〜３０重量％と、金属粉５〜１０重量％とについては、赤リンとエネルギーバインダの範囲から、これらを可能にする範囲とした。
請求項４に係る赤外線遮蔽発煙組成物は、酸化剤が、明礬である。明礬には、アンモニウムアルミニウム明礬、カリウムアルミニウム明礬などがある。
【発明の効果】
【００１８】
本発明の赤外線遮蔽発煙組成物は、赤リンの燃焼効率が良いので、発煙濃度（赤外線吸収）が高く、可視光線波長域はもとより赤外線波長域において遮蔽効果（赤外線吸収）が著しく良い。特に、８〜１２μｍの遠赤外線波長域に遮蔽効果が顕著に現れる。
【発明を実施するための最良の形態】
【００１９】
以下、本発明を実施形態により説明する。
煙生成剤の赤リンは、次の通り反応する。
【化１】
2005119896.tif 000002
【化２】
2005119896.tif 000003
（１）式は、赤リンと大気中の酸素が反応して酸化リンを生成し、（２）式は酸化リンと大気中の水が反応してリン酸を生成することを表す。
【００２０】
このリン酸（水和物）は、赤外線を吸収する性質を有しており、その吸収特性は、図１に示すように、リン酸スペクトルのリファレンスシートによる赤外線吸収スペクトルで示される波形とほぼ一致する。また、図１に示すリン酸の赤外線吸収スペクトルでは、８〜１２μｍ帯において赤外線吸収特性が特に良いことが分かる。
従って、好ましい赤外線遮蔽発煙組成物は、高濃度のリン酸を多量に発生させるために、赤リンの反応率を高めること、また、赤リンの含有量をできる限り多くすることが必要である。
【００２１】
このことから、本発明者は、所定の燃焼速度を保つとともに、赤リンを１００％効率良く燃焼させて、高濃度のリン酸を多量に生成させることについて鋭意研究した。
そして、硝酸塩などの酸化剤と、ＧＡＰなどのエネルギーバインダとでマグネシウムあるいはアルミニウムなどの金属粉が酸化され、この時の発熱によって赤リンが気化し、大気中の酸素と化合して、赤リンが効率よく燃焼し、酸化リンが生成することを見い出した。
【００２２】
そこで、本発明者は、赤外線遮蔽に効果のある因子（成分）を赤外線吸収スペクトルの結果から、赤外線遮蔽性能値である発煙吸収係数（α）と発煙濃度（Ｃ）の積（α・Ｃ）を算出し、タグチメソッド（品質工学的手法あるいは統計学的手法といわれている。田口玄一「技術開発のための品質工学」日本規格協会（１９９４））を用いて赤外線遮蔽に影響を与える因子（成分）の解析を試みた。
【００２３】
そこで、表１に示すように、因子に対して要因を設定し、１８種類の組成物を混和した。それら組成物を薬量３０ｍｇ，φ３ｍｍに圧填成形し、試料として燃焼させた。
【００２４】
【表１】
2005119896.tif 000004
その結果、図２に示すように、赤外線遮蔽に最も影響を与える因子は、赤リン、金属、バインダの順であることが分かり、さらにこの要因の中では、赤リン、硫酸塩、アルミニウムおよびエネルギーバインダとの組合せが、最も赤外線遮蔽性能が高いという解析結果が得られた。
【００２５】
さらに、この解析結果をもとに実験を繰り返し行った結果、赤リンを主剤とする煙生成剤と、硝酸塩、硫酸塩、過硫酸塩または酸化物から選ばれる酸化剤と、金属粉と、エネルギーバインダとを含有することで、赤リンの含有量を多くできることと、同じ含有量でもリン酸濃度を増し、赤外線の遮蔽効果（赤外線吸収＝発煙濃度）を高めることが分かった。
【００２６】
エネルギーバインダを加えると、赤外線遮蔽効果が高まる理由は、以下の通りと考察できる。
硝酸塩などの酸化剤と、ＧＡＰなどのエネルギーバインダによりマグネシウムまたはアルミニウムなどの金属粉が酸化され、この時の発熱によって赤リンが気化し、大気中の酸素と化合し、赤リンが燃焼し、酸化リンが生成し、酸化リンになった後、水分を取り込んでリン酸を生成する。リン酸が吸収に影響を及ぼすことは、図１に示した赤外線スペクトルの吸収特性から明らかであり、このリン酸濃度を増すことが、赤外線吸収効果を高めることとなる。
【００２７】
従来のバインダは、酸化剤と金属粉との燃焼熱により分解されるため、赤リンを反応させるのに必要な熱量を奪うので、リン酸生成に対してマイナス要因であった。
また、エネルギーバインダと従来使用されているバインダの自己熱分解性の大小を比較するため、アルミニウム２５重量％および硝酸カリウム重量６５％に、エネルギーバインダとしてＧＡＰ１０重量％を添加した組成物と、アルミニウム２５重量％および硝酸カリウム重量６５％に、従来バインダとしてＨＴＰＢ１０重量％（水酸基末端ポリブタジエン）を添加した組成物とを用意し、これらの燃焼温度を計算した。
【００２８】
その結果、エネルギーバインダであるＧＡＰは３２２６度Ｋ、従来バインダであるＨＴＰＢは２８９６度Ｋとなり、エネルギーバインダを使用することにより、反応時の燃焼温度を高くできることが分かり、赤外線の吸収効果の大きいリン酸を従来バインダに比べてより多量に発生させることが可能となった。
一方、従来バインダは、反応熱がエネルギーバインダに比べ低いので、未反応状態の赤リンも多くなり、リン酸へ転換する比率が低下することにより、それにつれて赤外線吸収率も低下した。
【実施例】
【００２９】
本発明の実施例を表２および表３に基づいて説明する。
表２は、本発明の実施例１〜５と比較例Ａ〜Ｅの組成を示す。
表３は、表２の実施例１〜５と比較例Ａ〜Ｅについて、赤外線透過率、発煙濃度および燃焼時間を示す。
表２に示す通り、実施例１〜５には本発明に係る赤外線遮蔽発煙組成物を用意した。また、実施例１〜５は、エネルギーバインダとしてＧＡＰを用いた。
【００３０】
なお、本発明に用いるＧＡＰは、少しの硬化剤を含有するものである。例えば、後述するところの実施例あるいは比較例では、ＧＡＰ自体：硬化剤＝８３％：１３％の割合で含有している。
各実施例の発煙組成物は、エネルギーバインダとしてＧＡＰに溶剤を加えて粘度を低くし、さらに、煙生成剤として赤リン、発熱剤として酸化剤であるカリウムアルミニウム明礬および金属粉であるマグネシウムとを入れて攪拌混和した。
【００３１】
次に、この混和した発煙組成物を常温で一定時間乾燥させて、溶剤を揮発させた。
そして、この発煙組成物を金型に入れ、プレスで圧搾成形し、ペレット（４ｇ円柱ペレット）状に製造した。
また、比較例Ａ，Ｄ，Ｅは、各実施例と同じ成分を用い、比較例Ｂは、酸化剤に硝酸セシウムとバインダにポリブタジエンを用い、比較例Ｃは、バインダにポリブタジエンを用いた。これら比較例Ａ〜Ｅも製造方法においては実施例１〜５と同様とした。
【００３２】
このようにして成形されたペレット（４ｇ円柱ペレット）を、図３で示す燃焼チャンバ（１ｍ×１ｍ×１ｍ）内で燃焼させ、３〜１４μｍ波長域の赤外線透過率（％）を計測した。
赤外線透過率は、黒体炉（熱源）とＩＲスペクトルアナライザーとの距離を１ｍとし、発煙組成物を燃焼させる前のデータ（Ｉo）を得た後、完全に燃焼させ燃焼チャンバ内の煙をファンで攪拌し、煙が均一になったところで、データ（１）を得て、この燃焼前後の強度比から算出している。
【００３３】
また、燃焼時間は、約６０秒以内であれば有用な範囲とし、測定方法はストップウォッチによる目視で行った。
表３は、実施例１〜５と比較例Ａ〜Ｅの組成を燃焼させた際の赤外線透過率、発煙濃度および燃焼時間を示す。ここで、発煙濃度の高い数値は赤外線吸収の効果が高いものである。
【００３４】
発煙濃度Ｃ（ｇ／ｍ3）は、この赤外線透過率（％）と計測距離Ｌ（ｍ）とリン酸の吸収係数α（ｍ2／ｇ）から、光の減衰を表す次式のランバートベール則によって算出した。
（透過率）＝ｅｘｐ（−α・Ｃ・Ｌ）×１００
ここで、ｅｘｐは、指数関数exponentialを表す。
【００３５】
次に、表２および表３に基づいて発煙濃度について説明する。
赤リン、酸化剤、金属粉およびバインダの配合比が等しく、バインダの種類がＧＡＰ（エネルギーバインダ）とポリブタジエンとで異なる例の場合、赤リンを有効範囲（６５重量％）に入れＧＡＰを用いた実施例２は、赤外線透過率５７．９％、発煙濃度（ｇ／ｍ3）１．４１８であり、赤リンの量を有効範囲（６５重量％）に入れポリブタジエンを用いた比較例Ｃは、赤外線透過率６３．５％、発煙濃度（ｇ／ｍ3）１．１８１となり、エネルギーバインダのＧＡＰを用いた実施例２の方が、発煙濃度で２０％向上した。
【００３６】
また、赤リンの配合を６５重量％と等しくしＧＡＰ（エネルギーバインダ）の添加量を増加した例の場合、ＧＡＰを２０重量％用いた実施例４は、発煙濃度（ｇ／ｍ3）１．６２０であり、ＧＡＰを１２重量％用いた実施例２は、発煙濃度（ｇ／ｍ3）１．４１８となり、ＧＡＰを５重量％用いた実施例３は、発煙濃度（ｇ／ｍ3）１．２６０となり、ＧＡＰを増加させた方が、発煙濃度（ｇ／ｍ3）で１２％〜２８％向上した。
【００３７】
しかし、ＧＡＰの配合量を２５重量％と増やした比較例Ｄでは、発煙濃度（ｇ／ｍ3）１．６９２となり、発煙濃度は向上したが、燃焼が非常に遅く、屋外での使用に耐えられない燃焼速度であった。
また、赤リンの配合を異なる量にしＧＡＰを１２重量％と等しく配合した例の場合、赤リンを７５重量％入れた実施例５は、発煙濃度（ｇ／ｍ3）１．６４３であり、赤リンを６５重量％入れた実施例２は、発煙濃度（ｇ／ｍ3）１．４１８となり、赤リンを５５重量％入れた実施例１は、発煙濃度（ｇ／ｍ3）１．１９０となり、赤リンの配合量を増加させると発煙濃度が向上した。
【００３８】
しかし、赤リンを５５重量％入れバインダとしてＧＡＰ（エネルギーバインダ）を用いた実施例１は、発煙濃度（ｇ／ｍ3）１．１９０であり、赤リンを６５重量％入れバインダとしてポリブタジエンを用いた比較例Ｃは、発煙濃度（ｇ／ｍ3）１．１８１となり、実施例１の方は赤リン配合量が比較例Ｃよりも１８重量％も少ないが、ＧＡＰ（エネルギーバインダ）を用いたことで発煙濃度が向上したことが分かる。
【００３９】
また、赤リン、酸化剤、金属粉およびバインダを同じ組成とし、赤リンの配合量を可能な限り増やした例の場合、赤リンを７５重量％入れた実施例５は、発煙濃度（ｇ／ｍ3）１．６４３であり、赤リンを８０重量％入れた比較例Ｅは、立ち消え（燃焼中断）となり計測不可であった。
【００４０】
【表２】
2005119896.tif 000005
【００４１】
【表３】
2005119896.tif 000006
次に、表２および表３に基づいて燃焼時間について説明する。
実施例１と比較例Ａでは、実施例１の方が燃焼時間が早い。これは、両方ともエネルギーバインダであるＧＡＰを同量（１２重量％）としているが、比較例Ａは、酸化剤の量を実施例１より１０重量％も多く入れたことが主因である。このことは、ＧＡＰの量を同量（１２重量％）とした実施例２（酸化剤１８重量％）と実施例５（酸化剤８重量％）でも同様なことがいえる。
【００４２】
しかしながら、実施例３の酸化剤の量（２５重量％）は、実施例４の酸化剤の量（１０重量％）より１．５倍も多く入れているが、実施例４の方が僅かであるが燃焼時間が早い。これは、エネルギーバインダであるＧＡＰの量を、実施例３（５重量％）より実施例４（２０重量％）の方で３倍多く入れたことが主因である。
また、実施例２と比較例Ｃでは、バインダの種類以外、他の成分および配合量は同じであるが、実施例２の方で燃焼時問が早い。これは、実施例２はエネルギーバインダであるＧＡＰ（１２重量％）を用い、比較例Ｃは一般のバインダであるポリブタジエン（１２重量％）を用いたことが主因である。
【００４３】
また、比較例Ｄは、エネルギーバインダであるＧＡＰ量を２５重量％と多くしたため、酸化剤の量が少なくなったことが主因と考えられる。
また、比較例Ｅは、赤リンの配合量を８０重量％としたため、ＧＡＰおよび酸化剤の配合量が少なくなったことが主因と考えられる。
次に、全体考察を述べる。
【００４４】
赤リン系発煙剤の場合、リン酸の煙物質が赤外線の吸収物質として支配的であり、赤リンの含有量が多いほど赤外線遮蔽効果が高いことが分かる。
同じ赤リンの含有量でも、バインダをＧＡＰのようなエネルギーバインダを用いることで、発煙濃度（赤外線吸収）をより一層高められて赤外線透過率が低くなり、赤外線遮蔽性能の向上に影響を与えることが分かった。
【００４５】
しかしながら、同じＧＡＰを用いても、燃焼性や着火性から赤リンの含有量には限界があり、８０重量％未満であることが分かった。
また、本発明に用いるＧＡＰは、赤外線透過率を低くし、発煙濃度（赤外線吸収）をより一層高めることを目的としているので、その効果を維持するためにには、その含有量は２０重量％以下であることが分かった。
【００４６】
また、燃焼時間は、用途、薬量、圧填方法、燃焼容器内の圧力など、諸条件で変わることはあるが、本実施例では４ｇ円柱ペレットを容器には入れず、直に燃焼チャンバ内で燃焼させ、数回の平均値を得て、有用な範囲である６０ｓｅｃ以内を確認した。
よって、赤外線遮蔽発煙組成物として本発明の主たる目的である赤外線遮蔽効果を向上させるため、煙生成剤である赤リンを如何に効率よく燃焼（反応）させて、煙濃度を高め、赤外線を吸収させるかは、赤リン−酸化剤−金属粉−エネルギーバインダとの組合せおよび配合量を適宜調整するかであることが分かった。
【産業上の利用可能性】
【００４７】
本発明に係る赤外線遮蔽発煙組成物は、煙幕を生成する盗難防止装置の発煙剤として組み込み、保護物件を煙幕で保護する際、可視光域と赤外光域を遮断することで、侵入者が赤外線ゴーグルや赤外線フイルタを装着したビデオカメラなどで透視し犯罪行為を続行したりあるいは逃走するなどを防止することに利用できる。
【図面の簡単な説明】
【００４８】
【図１】リン酸の赤外線吸収スペクトル（波形図）。
【図２】赤外線遮蔽に影響を与える因子・要因（成分）の解析結果（棒グラフ）。
【図３】赤外線透過率の計測装置の模式図。
【図１】
2005119896.tif 000007
【図２】
2005119896.tif 000008
【図３】
2005119896.tif 000009